【手続補正書】
【提出日】令和2年6月3日(2020.6.3)
【手続補正１】
【補正対象書類名】特許請求の範囲
【補正対象項目名】全文
【補正方法】変更
【補正の内容】
【特許請求の範囲】
【請求項１】
状態変化のデジタル化して監視するために既存のデバイスと共に使用するためのシステムであって、
ａ）カメラと、
ｂ）監視コンピュータ又は制御回路を有するサブシステムと、
ｃ）前記カメラで得られた画像を前記サブシステムに通信するための通信コンポーネントと、を備え、
ｄ）前記サブシステムが、前記通信された画像を受信するように構成され、プロセッサ及び前記通信された画像を格納し該画像を操作するための命令を含むソフトウェアを有し、
ｅ）前記システムが、前記画像を抽出し、デジタル化することによって前記画像を操作する、システム。
【請求項２】
前記画像の抽出及びデジタル化が、画像の選択部分を抽出及びデジタル化するステップを含み、前記画像がパネル表示を含み、前記画像の選択部分は可読要素が配置される前記パネル上の位置を表す、請求項１に記載のシステム。
【請求項３】
前記可読要素が、ゲージ、メータ、スイッチ、ダイヤル、ライト、又はインジケータを含む、請求項２に記載のシステム。
【請求項４】
前記カメラと、前記画像を通信するための前記通信コンポーネントと共に構成され、前記カメラからの前記画像を処理するための回路を有する１つ又は複数の処理コンポーネントを含む、請求項１に記載のシステム。
【請求項５】
前記画像取り込みレートの周波数を調整するためのフレームタイマを含む、請求項４に記載のシステム。
【請求項６】
前記１つ又は複数の処理コンポーネントが、前記撮像されるパネルの変化が生じた場合に、前記パネルのフレームを取り込むように前記画像の取り込みを制御する命令を含むソフトウェアを実行する前記回路に結合された少なくとも１つのプロセッサを含む、請求項４に記載のシステム。
【請求項７】
第１のサブシステム及び第２のサブシステムを含み、前記第１のサブシステムが前記カメラ及び通信コンポーネントを含み、前記第２のサブシステムは監視コンピュータ又は制御回路を有するサブシステムを含む、請求項１に記載のシステム。
【請求項８】
前記第１のサブシステムは、前記カメラで取得された前記画像データを処理し、前記監視対象のデバイスの変化がいつ発生したかを識別し、前記監視対象のデバイスの変化が検出されると、前記監視対象のデバイスの画像フレーム取り込みを作動させる変化フレーム検出機構を含む、請求項７に記載のシステム。
【請求項９】
前記監視対象のデバイスはパネルを含む、請求項８に記載のシステム。
【請求項１０】
前記パネルが監視対象のコンポーネントを含み、前記変化フレーム検出機構は、前記監視対象のコンポーネントに対する変更がいつ発生したかを識別するように構成される、請求項９に記載のシステム。
【請求項１１】
前記監視対象のコンポーネントがメータを含む、請求項１０に記載のシステム。
【請求項１２】
複数のカメラが設けられ、前記監視対象のデバイスが、前記複数のカメラのそれぞれによってそれぞれ監視される複数のコンポーネントを含む、請求項８に記載のシステム。
【請求項１３】
前記複数のカメラは単一のハウジング内に設けられる、請求項７に記載のシステム。
【請求項１４】
前記第１のサブシステムが、前記画像取り込みレートの周波数を調整するためのフレームタイマを含む、請求項７に記載のシステム。
【請求項１５】
前記第１のサブシステムが、前記カメラから連続的なビデオを取り込むように構成される、請求項７に記載のシステム。
【請求項１６】
前記第１のサブシステムが、圧縮、フォーマット化、暗号化、又はこれらの１つ又は複数の処理によって前記画像フレーム又はビデオを処理するように構成される、請求項７に記載のシステム。
【請求項１７】
前記第１のサブシステムが、前記カメラからの画像入力を受信するように結合された監視コンピュータ又は制御回路を含み、前記第１のサブシステムは、前記カメラ画像を、
ａ）フレームタイマを用いて前記画像取り込みレートの周波数を調整し、
ｂ）前記画像フレーム又はビデオを圧縮、フォーマット化又は暗号化のうちの１つ又は複数によって前記画像フレーム又はビデオを処理し、かつ、
ｃ）前記処理された画像フレーム又はビデオを第２のサブシステムに送信するように操作するように構成される、請求項７に記載のシステム。
【請求項１８】
前記第１のサブシステムは遠隔サブシステムを備え、前記第２のサブシステムは、前記第１のサブシステムから処理された画像フレーム又はビデオを受信し、前記第２のサブシステムは、
ａ）前記第１のサブシステムから受信された画前記像フレーム又はビデオを解凍、フォーマット化、又は解読のうちの１つ又は複数によって処理し、
ｂ）前記画像フレーム又はビデオをメモリ又は記憶コンポーネントに格納し、
ｃ）前記画像の少なくとも一部分を抽出し、かつ
ｄ）前記抽出された画像部分をデジタル化して一連のデジタル値を生成すること、
によって前記処理された画像フレーム又はビデオを操作するように構成される、請求項１７に記載のシステム。
【請求項１９】
前記監視対象のデバイスが複数の可読要素を有するパネルを備え、前記可読要素が、少なくとも１つの第１の可読要素及び少なくとも１つの第２の可読要素を含み、前記画像の少なくとも一部分を抽出することが、前記画像から前記第１の可読要素の前記画像を含む前記画像の少なくとも第１の部分を抽出し、前記画像から前記第２の可読要素の前記画像を含む前記画像の少なくとも第２の部分を抽出すること含み、前記抽出された画像部分をデジタル化して一連のデジタル値を生成することが、抽出された各々の画像ごとに実行され、前記第１の可読要素についての一連のデジタル値、及び前記第２の可読要素についての第２の一連のデジタル値が生成される、請求項１８に記載のシステム。
【請求項２０】
前記第１のサブシステムの監視コンピュータ又は制御回路が第１の監視コンピュータ又は制御回路を含み、前記第２のサブシステムの監視コンピュータ又は制御回路が第２の監視コンピュータ又は制御回路を含む、請求項１８に記載のシステム。
【請求項２１】
前記第１のサブシステムが前記カメラの一部として設けられる、請求項７に記載のシステム。
【請求項２２】
前記第１のサブシステムが、前記第２のサブシステムの近位において離間した遠隔サブシステムを含む、請求項７に記載のシステム。
【請求項２３】
前記画像処理が、アナログコンポーネントであってアナログ値を表示するデバイスの画像を処理することを含み、前記デジタル化が、前記アナログ値に対するデジタル値を生成するステップを含む、請求項１に記載のシステム。
【請求項２４】
前記カメラが赤外線対応カメラを含む、請求項１に記載のシステム。
【請求項２５】
赤外線照明手段を含む、請求項２４に記載のシステム。
【請求項２６】
前記通信コンポーネントが通信リンクを含む、請求項１に記載のシステム。
【請求項２７】
前記通信コンポーネントが無線セルラ部分を含む、請求項２６に記載のシステム。
【請求項２８】
前記通信リンクが衛星無線部分を含む、請求項２６に記載のシステム。
【請求項２９】
前記通信リンクが衛星無線部分を含む、請求項２６に記載のシステム。
【請求項３０】
前記画像が前記画像フレーム又は前記画像フレームの指定部分で前記メータ以外のものを取り込んだときに、取り込まれた前記画像の変化を検出する変化検出手段を含む、請求項１に記載のシステム。
【請求項３１】
前記システムは、前記カメラから受信された画像を処理し、前記画像が前記画像パネル又はその一部であるか、又は前記画像パネル又はその一部以外であるかを判定する命令を含むソフトウェアを有して構成された請求項１に記載のシステム。
【請求項３２】
変化を検出する変化検出手段を含み、変化検出が、視野内への物体は手の進入を含み、それを契機にフレーム又はビデオが送信される請求項１に記載のシステム。
【請求項３３】
前記カメラ及び変化検出システムは、モータ又はエンジンの振動を監視するために遠隔で使用される、請求項３２に記載のシステム。
【請求項３４】
前記カメラ及び変化検出システムは、モータ又はエンジンの負荷又はトルクを監視するために使用される、請求項３３に記載のシステム。
【請求項３５】
可聴事象を検出するためのセンサを含む音検出手段を含む、請求項１に記載のシステム。
【請求項３６】
第１のサブシステムと第２のサブシステムとを備え、前記第１のサブシステムは、前記第２のサブシステムに近位において離間した、前記カメラ及び通信コンポーネントを含む遠隔サブシステムを備え、前記第２のサブシステムは、監視コンピュータ又は制御回路を有するサブシステムを含み、可聴事象の検出は、ブザー、警報、又は可聴警報が遠隔サブシステムの近位で作動されたかどうかを確認するステップを含む、請求項３６に記載の方法。
【請求項３７】
前記デバイスがモータであり、前記カメラは前記モータの画像を取り込み、前記画像を処理して前記モータの動作状態を判定する、請求項１に記載のシステム。
【請求項３８】
前記動作状態は、モータ振動である、請求項３７に記載のシステム。
【請求項３９】
前記取り込まれた画像の各々が、フレーム領域を有するフレームを含み、前記モータは前記フレーム領域内に撮像され、前記モータは動作時には前記フレーム領域内の異なる位置で取り込まれ、前記モータの取り込み位置が評価されて前記のモータ動作状態が判定される、請求項３８に記載のシステム。
【請求項４０】
前記フレーム領域が、前記フレーム内の場所を規定する座標を含み、前記モータ画像が座標によって表され、前記モータ画像座標が前記モータの振動状態を判定する、請求項３９に記載のシステム。
【請求項４１】
許容できる振動状態は、座標のセットによって表される画像フレームの振動領域によって規定される、請求項３９に記載のシステム。
【請求項４２】
前記システムは、前記カメラ画像によって判定された前記モータ振動が前記許容できる振動状態内で動作していない場合に警報を生成する、請求項３９に記載のシステム。
【請求項４３】
フレームレート、前記パネル自体の変化、又はこれらの組み合わせに基づいて前記カメラを制御するローカル制御システムを含む、請求項１に記載のシステム。
【請求項４４】
前記通信コンポーネントが通信リンクを含み、前記第１のサブシステムが、通信リンクからコマンド及び制御指令を受信する、請求項７に記載のシステム。
【請求項４５】
前記パネルが前記可読要素を含み、前記システムは、前記可読要素のサブ画像を生成するためにサブマスクを適用する、請求項９に記載のシステム。
【請求項４６】
デジタル化される複数のデバイスの初期設定パラメータを含むデバイスライブラリを含み、前記デバイスライブラリのデバイスは、前記カメラ及び画像処理動作を指示する設定を適用するように選択される、請求項１に記載のシステム。